(57)【特許請求の範囲】
【請求項１】
第１発光装置と、第２発光装置とを含み、
第１発光装置は、
半球状の第１支持部と、
光を透過可能であり、第１支持部に支持されるとともに第１発光装置のユーザが載上可能な第１板部と、を有する第１筐体を備え、当該第１筐体は、
自身の姿勢を検出する第１検出部と、
検出された姿勢に関する情報を第２発光装置に送信する第１送信部と、
第２発光装置から第２発光装置の姿勢に関する情報を受信する第１受信部と、
第１検出部によって検出された姿勢に関する情報をもとに制御される第１発光部と、
受信した第２発光装置の姿勢に関する情報をもとに制御される第２発光部と、を内蔵し、
第２発光装置は、
半球状の第２支持部と、
光を透過可能で、第２支持部に支持されるとともに第２発光装置のユーザが載上可能な第２板部とを有する第２筐体を備え、当該第２筐体は、
自身の姿勢を検出する第２検出部と、
検出された姿勢に関する情報を第１発光装置に送信する第２送信部と、
第１発光装置から第１発光装置の姿勢に関する情報を受信する第２受信部と、
第２検出部によって検出された姿勢に関する情報をもとに制御される第３発光部と、
受信した第１発光装置の姿勢に関する情報をもとに制御される第４発光部と、を内蔵する、
ことを特徴とする発光遊具システム。
【請求項２】
前記姿勢に関する情報は、姿勢検出部位における傾斜方向または傾斜量の少なくとも一方の情報、ないし、前記少なくとも一方の情報をもとに生成される発光制御情報であることを特徴とする請求項１に記載の発光遊具システム。
【発明の詳細な説明】
【技術分野】
【０００１】
本発明は、発光状態が制御可能な発光システムとその制御方法に関する。
【背景技術】
【０００２】
従来ＬＥＤ等により発光する遊具が知られている。こうしたものの中に、加速度センサを有し、遊具の傾きを検出し、傾きに応じて発光状態を変更するものが存在する（例えば、特許文献１参照）。
【先行技術文献】
【特許文献】
【０００３】
【特許文献１】特開２００１−３４７０８０号公報
【発明の概要】
【発明が解決しようとする課題】
【０００４】
しかしながら、従来の発光遊具は、加速度センサで検出した傾斜に応じて遊具内の発光手段の発光状態を制御するものであり、加速度センサから離れた位置にある発光手段の発光状態を遠隔制御することはできなかった。
【０００５】
そこで、本発明は、加速度センサで検出した傾斜に応じて離れた位置にある発光手段の発光状態を遠隔制御する発行システムを提供することを目的とするものである。
また更に、本発明は、少なくとも１対の発光遊具を有し、それぞれの発光遊具が自己の傾斜に応じて自己の発光手段の発光状態を制御すると共に、自己の傾斜に応じて他方の発光手段の発光状態を制御する発光システムを提供することを目的とする。
【課題を解決するための手段】
【０００６】
本発明の発光システムは、第１装置と、第１装置とは別体の第２装置とを含み、第１装置は、自身の姿勢を検出する検出部と、検出された姿勢に関する情報を第２装置に送信する送信部とを有し、第２装置は、第１装置からの送信された姿勢に関する情報を受信する受信部と、受信した姿勢に関する情報にしたがって制御される発光部とを有する。限定はしないものの、「第１装置」の例は後述の第１発光装置１、第２装置の例は第２発光装置２である。この構成により、第２装置の発光を第１装置の姿勢に応じて制御することができる。
【０００７】
本発明の別の態様も発光システムであり、第１発光装置と、第２発光装置とを含み、第１発光装置は、自身の姿勢を検出する第１検出部と、検出された姿勢に関する情報を第２発光装置に送信する第１送信部と、第２発光装置から第２発光装置の姿勢に関する情報を受信する第１受信部と、自身の筐体に内蔵され、受信した第２発光装置の姿勢に関する情報をもとに制御される発光部とを備え、第２発光装置は、自身の姿勢を検出する第２検出部と、検出された姿勢に関する情報を第１発光装置に送信する第１送信部と、第１発光装置から第１発光装置の姿勢に関する情報を受信する第２受信部と、自身の筐体に内蔵され、受信した第１発光装置の姿勢に関する情報をもとに制御される発光部とを備える。
【０００８】
限定はしないものの、第１発光装置に内蔵され、第２発光装置の姿勢に関する情報で制御される発光部の例は、後述の第２発光部１７である。また、第２発光装置に内蔵され、第１発光装置の姿勢に関する情報で制御される発光部の例は、第４発光部２７である。この構成により、第１、第２発光装置は互いに相手の姿勢に応じてその発光を制御することができる。
【０００９】
この態様において、第１発光装置はさらに、自身の筐体に内蔵され、第１検出部によって検出された姿勢に関する情報をもとに制御される発光部を備えてもよく、第２発光装置はさらに、自身の筐体に内蔵され、第２検出部によって検出された姿勢に関する情報をもとに制御される発光部を備えてもよい。限定はしないが、第１発光装置に内蔵され、第１検出部によって検出された姿勢に関する情報をもとに制御される発光部の例は、後述の第１発光部１４である。また、第２発光装置に内蔵され、第２検出部によって検出された姿勢に関する情報をもとに制御される発光部の例は、第３発光部２４である。
【００１０】
本発明のさらに別の態様は、ふたつの発光装置を含む発光システムにおける発光制御方法である。この方法は、互いに相手側の発光装置の姿勢に関する情報を無線で受信することにより、相手側の姿勢に基づいて自身の発光を制御する。
【発明の効果】
【００１１】
本発明は、ゲーム性、利便性、操作性のいずれかを改善する発光システムとその制御方法を提供することができる。
【図面の簡単な説明】
【００１２】
【図１】実施の形態１の発光システムの外観図である。
【図２】実施の形態１の発光システムを構成する第１発光装置の第１筐体の分解斜視図である。
【図３】実施の形態１の発光システムを構成する第１発光装置の第１筐体の内部に設けられている、第１発光装置の構成要件の外観図である。
【図４】実施の形態１の発光システムの機能ブロック図である。
【図５】実施の形態１の発光システムを構成する第１発光装置の第１制御部が行う制御を説明するための図である。
【図６】実施の形態１の発光システムの動作の各ステップを示すシーケンス図である。
【図７】実施の形態１の発光システムを玩具として使用する様子を説明するための図である。
【図８】実施の形態１の発光システムの第１発光装置と第２発光装置との通信をＰＣを用いて行うことを説明するための図である。
【図９】１個の第１発光装置と３個の第２発光装置とにより構成された発光システムの構成図である。
【図１０】１個の第１発光装置と３個の第２発光装置との通信をＰＣを用いて行うことを説明するための図である。
【図１１】実施の形態２の発光システムの構成図である。
【図１２】実施の形態３の発光システムの外観図である。
【図１３】実施の形態３の発光システムの機能ブロック図である。
【図１４】実施の形態３の発光システムを構成する発光装置の一部の外観図である。
【図１５】実施の形態３の発光システムの動作の各ステップを示すシーケンス図である。
【図１６】発光装置としての照明装置と、制御装置とにより構成される発光システムの外観図である。
【発明を実施するための形態】
【００１３】
以下、本発明を実施するための形態を図面を参照して説明する。実施の形態１の発行システムは図１に示すように第１発光装置１と第２発光装置２とを有する。両装置は同じ構成であるため、以下、原則として第１発光装置１を説明する。第２発光装置２の各符号は、第１発光装置における符号１ｎをそれぞれ２ｎに変更しただけである。
【００１４】
第１発光装置１は第１筐体１１を有する。第１筐体１１は、図２に示すように、底板部１１ａと、円筒状の側面部１１ｂと、上板部１１ｃと、支持部１１ｄとを有する。底板部１１ａは円盤である。上板部１１ｃは、底板部１１ａと側面部１１ｂとが形成する開口を覆う。支持部１１ｄは半球状で、支持部１１ｄの半径は底板部１１ａの半径より小さく、支持部１１ｄの平面部の中心が底板部１１ａの裏面の中心に一致するように底板部１１ａの裏面に一体化されている。上板部１１ｃは、アクリル樹脂によって形成されており、光を透過させる。
【００１５】
第１発光装置１は、第１筐体１１の中に、図３に示すように、第１検出部１２と、６個の電池１３と、内側の５個の第１発光部１４と、第１制御部１５と、第１通信部１６と、外側の１０個の第２発光部１７とを有する。これらの構成要素は第１筐体１１の底板部１１ａの上面に設けられている。６個の電池１３は直列とするが、個数に特段の意味はない。
【００１６】
第１検出部１２は、底板部１１ａの表面の中心付近に設けられており、第１筐体１１の姿勢、すなわち、傾斜方向及び傾斜角度を検出する。電池１３は底板部１１ａの表面の外周部に等間隔に設けられる。５個の第１発光部１４はフルカラーＬＥＤで、底板部１１ａの中央付近に設けられている。
【００１７】
第１制御部１５は、底板部１１ａの外周部に設けられ、第１検出部１２によって検出された検出値にしたがって５個の第１発光部１４それぞれのＲ、Ｇ、Ｂの個別ＬＥＤに供給する電流の値を変化させ、発光色を制御する。第１通信部１６は、底板部１１ａの外周部に設けられており、第１検出部１２によって検出された検出値を第２発光装置２の第２通信部２６に無線により送信し、第２通信部２６からの無線による、第２発光装置２の第２検出部２２によって検出された検出値を受信する。ただし、通信は有線であってもよい。
【００１８】
１０個の第２発光部１７はそれぞれフルカラーＬＥＤで、底板部１１ａの外周よりに等間隔に設けられている。第１制御部１５は、第１通信部１６によって受信された、第２発光装置２の第２検出部２２によって検出された検出値にしたがって、１０個の第２発光部１７のそれぞれに供給する電流の値を変化させ、第２発光部１７の発光色を制御する。第１制御部１５が行う発光の制御は図５で後述する。
【００１９】
第１発光装置１は、各構成要素を底板部１１ａの上面に設けた後、側面部１１ｂと上板部１１ｃによって第１筐体１１に収納される。
【００２０】
図４は発光システムの機能ブロック図である。煩瑣なため、電池１３、第１発光部１４、第２発光部１７は、それぞれひとつだけ示される。電池１３は第１制御部１５に電力を供給し、ここで制御された電圧ないし電流が第１発光部１４と第２発光部１７に供給される。
【００２１】
図５は、第１制御部１５の制御を示す。図５（Ａ）は、第１発光装置１の第１筐体１１の特定の部位の水平面からの傾斜角度が１０度以上の場合、第１筐体１１の傾斜方向に応じて発生させる光の色を定義する。第１検出部１２によって検出される傾斜方向は、水平面において、東西南北の中の予め決められた向きと第１筐体１１が傾斜した向きとが成す角度である。ここで東西南北は本装置において定められるローカルな方位であり、地上の東西南北とは関係がない。図５（Ｂ）は、第１発光装置１の第１筐体１１の傾斜角度が５度以上１０度未満の場合、第１筐体１１の傾斜方向に応じて発生させる光の色を定義する。
【００２２】
第１筐体１１の傾斜角度が１０度以上である場合、第１制御部１５は、図５（Ａ）に示すように、第１筐体１１の傾斜方向に応じて５個の第１発光部１４の発光色を制御する。例えば、傾斜方向が０度であるとき、第１制御部１５は、赤色の光を発するように第１発光部１４を制御する。また、傾斜方向が９０度のとき、第１制御部１５は赤色と青色の明るさとの割合が１：３となる中間色を出させるように第１発光部１４を発光させる。５個のＬＥＤは同じ色で発光する。
【００２３】
第１筐体１１の傾斜角度が５度以上１０度未満の場合、例えば、傾斜方向が０度のとき、第１制御部１５は、赤色の明るさと白色の明るさとの割合が１：１となるように第１発光部１４を発光させる。また、傾斜方向が９０度のとき、第１制御部１５は赤色と青色と白色との割合が１：３：４となる中間色を出させるように第１発光部１４を発光させる。
【００２４】
なお、図示しないが、第１筐体１１の傾斜角度が５度未満の場合、第１制御部１５は、第１筐体１１の傾斜方向にかかわらず、白色光を発するよう第１発光部１４を制御する。白が初期姿勢の色である。
【００２５】
第１制御部１５はさらに、第２発光装置２の第２筐体２１の傾斜方向及び傾斜角度にしたがって第２発光部１７の発光を制御する。
【００２６】
図６は、実施の形態１の発光システムの動作ステップを示す。実際には第１発光装置１と第２発光装置２の揺動は独立しているため、前者の姿勢が２回つづけて変化するなど、いろいろなパターンが考えられるが、ここでは前者が揺れ、つぎに後者が揺れるとしている。
【００２７】
まず、第１発光装置１において、第１検出部１２は、第１筐体１１の傾斜方向及び傾斜角度を検出する（Ｓ１）。第１制御部１５は、第１検出部１２によって検出された検出値、すなわち姿勢に関する情報にしたがって第１発光部１４に供給する電流の値を変化させ、第１発光部１４の発光色を制御する（Ｓ２）。第１通信部１６は、第１検出部１２によって検出された検出値を無線により第２発光装置２に送信する（Ｓ３）。
【００２８】
つづいて第２発光装置２の第２通信部２６は、第１発光装置１から送信された第１発光装置１の検出値を受信する（Ｓ４）。第２制御部２５は受信した検出値にしたがって第４発光部２７に供給する電流の値を変化させ、第４発光部２７の発光色を制御する（Ｓ５）。Ｓ６〜Ｓ１０はＳ１〜Ｓ５と同様である。
【００２９】
このように、実施の形態１の発光システムでは、第１発光部１４及び第４発光部２７が同じ色で発光し、第３発光部２４及び第２発光部１７が同じ色で発光する。このため、後述のごとく、ふたりのプレーヤが色合わせのゲームを楽しむことができる。
【００３０】
図７は、実施の形態１の発光システムを玩具として使用する様子を示す。同図において、斜線領域は「赤色」を意味し、グレーの領域は「青色」を意味する。
【００３１】
ユーザＡが第１発光装置１の第１筐体１１の上板部の上に立ち、ユーザＢが第２発光装置２の第２筐体２１の上板部の上に立つ。そして、ユーザＡが身体を揺らしながら第１筐体１１を傾け、第１発光装置１の第１筐体１１の上板部の中央から赤色の光を発生させる。それを見ながら、ユーザＢも身体を揺らしながら第２筐体２１を傾け、第２発光装置２の第２筐体２１の上板部の外周から赤色の光を発生させる。このように、ユーザＡ及びユーザＢは、自身の身体を揺らしながら、互いに相手方の発光装置の中央からの光の色と同じ色の光を外周から発するように自身の発光装置を制御する。「光のシンクロ」とも呼ぶべきゲームである。また逆に、相手が色を合わせようしているときに、自分の装置の色を相手とは違う色にする「光のおにごっこ」とも呼ぶべきゲームも実現できる。
【００３２】
実施の形態１では、第１検出部１２は、第１筐体１１の傾斜方向及び傾斜角度を検出した。しかし、第１検出部１２は傾斜方向と傾斜角度の一方を検出してもよい。その場合、第１制御部１５は、予め決められた発光制御規則と第１検出部１２による検出値とに基づき、第１発光部１４を制御すればよい。同様に、第２検出部２２が第２筐体２１の傾斜方向と傾斜角度の一方を検出する場合、第１制御部１５は、予め決められた発光制御規則と第２検出部２２による検出値とに基づいて第２発光部１７を制御すればよい。もちろん、傾斜方向と傾斜角度の両方を検出する場合でも、さらに発光制御規則を組み合わせることは可能である。
【００３３】
実施の形態１では、ＬＥＤすべてフルカラーとしたが、単色で輝度を制御してもよいし、その他の発光手段であってもよい。もちろん、フルカラーの場合でも、輝度の制御も組み合わせてもよい。
【００３４】
実施の形態１では、第１通信部１６は、第１検出部１２による検出値を第２発光装置２に送信した。しかし、それに替えて、検出値に対応する、第４発光部２７に対する制御情報を送信してもよい。検出値も制御情報もともに「姿勢に関する情報」である。制御情報の例は、第４発光部２７に供給すべき電流値である。その場合、第１発光装置１は、検出値を電流値に変換するためのテーブル又は式等の変換情報を有してもよい。
【００３５】
実施の形態１では、各構成要素は第１筐体１１に収納された。しかし、例えば第１検出部１２、電池１３、第１制御部１５、第１通信部１６などは第１筐体１１の外に設けてもよい。
【００３６】
実施の形態１では、図８に示すように、第１発光装置１と第２発光装置２との通信をＰＣや携帯電話等の通信手段（以下ＰＣ等ともいう）を用いて行うこともできる。この場合、第１通信部１６と第２通信部２６のは、それぞれＰＣ等と通信するものとし、ＰＣ等が両者の仲介をする。したがって、ＰＣ等には必要な通信プログラムを実装しておくものとする。
【００３７】
ここではさらに付加的な手段としてカメラを設ける。カメラにより第１発光装置１を撮影し、第１発光装置１側の第１ＰＣ５１は、撮影によって得られた第１発光装置１の画像を第２発光装置２側の第２ＰＣ５２に送信して表示させる。同様に、カメラにより第２発光装置２を撮影し、第２発光装置２側の第２ＰＣ５２は、撮影によって得られた第２発光装置２の画像を第１発光装置１側の第１ＰＣ５１に送信して表示させる。これらより遠隔のふたりのプレーヤがあたかも同室で遊ぶかのように楽しむことができる。
【００３８】
実施の形態１の応用として、図９に示すように、１個の第１発光装置１と、３個の第２発光装置２とにより発光システムを構成してもよい。この場合、第１発光装置１は、３個の第２発光装置２の中の特定の装置からの検出結果を受信して、外周よりの第２発光部１７の発光色を制御する。この構成によれば、１人のメインプレーヤと、３人のサブプレーヤが光の同期や「おにごっこ」を同時に楽しむことができる。
【００３９】
また、図１０に示すように、１個の第１発光装置１と、３個の第２発光装置２との通信をＰＣ等を用いて行うこともできる。図１０の構成は、図８の構成と図９との構成の組み合わせである。
【００４０】
（実施の形態２）
いままではプレイヤが乗るタイプの遊具を説明したが、ここでは小型の遊具を示す。図１１は、第１発光装置１及び第２発光装置２のそれぞれが、ユーザによって把持される大きさのたまご型の装置である。同図において、斜線領域は「赤色」を意味し、グレーの領域は「青色」を意味する。各筐体（実際には小型のケース）は、その筐体の長手方向の一方の半分から、その筐体の傾斜の検出値によって制御される光が発せられ、その筐体の長手方向の他方の半分から、相手方の筐体の傾斜の検出値によって制御される光が発せられる。なお、図示しないが、図８から図１０の発光システムにおいて、いずれの発光装置も、図１１に示す、筐体がたまご型である発光装置に置き換えられてもよい。
【００４１】
（実施の形態３）
図１２のごとく、実施の形態３の発光システムは、制御装置１０１と、制御装置１０１によって制御される発光装置１０２とを有する。
【００４２】
制御装置１０１は、ユーザによって把持される装置でたまご型の筐体１００１を有する。筐体１００１は、アクリル樹脂によって形成されており、光を透過させる。
【００４３】
制御装置１０１は電池１００２と検出部１００３と送信部１００４と第１発光部１００５と第１制御部１００６とを有する。各部の機能は実施の形態１と同様である。各構成要素は筐体１００１の内部に収納されている。
【００４４】
発光装置１０２は、図１２に示すようにスタンド型の発光装置で、支持部２００１と、円錐台状のかさ２００２とを有する。支持部２００１は、平板の底部２００１ａと、底部２００１ａに垂直に設けられた支持棒２００１ｂとを有する。かさ２００２は、支持部２００１によって支持される。
【００４５】
発光装置１０２は、図１４に示すように、支持棒２００１ｂの先端に設けられた第４発光部２００３を有する。なお、図１４は、かさ２００２が取り除かれた状態を示す。発光装置１０２はさらに、図１３に示すように、受信部２００４と、第２制御部２００５を有する。受信部２００４は、制御装置１０１からの、制御装置１０１の検出部１００３による検出値を受信する。動作は実施の形態１同様である。
【００４６】
なお、第２制御部２００５に接続されている電力供給線は、図面の複雑さを回避するため、図１３には示されていない。また、電力供給線は、部屋等に設けられている電力配線用差込接続器に接続される。受信部２００４、第２制御部２００５、及び、電力供給線は、支持部２００１の内部に設けられている。
【００４７】
図１５は、実施の形態３の発光システムの動作ステップを示す。まず、制御装置１０１において、検出部１００３は、筐体１００１の傾斜方向及び傾斜角度を検出する（Ｓ１１）。第１制御部１００６は、検出部１００３によって検出された検出値にしたがって、第１発光部１００５が発する光の色を制御する（Ｓ１２）。送信部１００４は、検出部１００３による検出値を無線により発光装置１０２に送信する（Ｓ１３）。
【００４８】
発光装置１０２の受信部２００４は、制御装置１０１の検出部１００３による検出値を受信する（Ｓ１４）。第２制御部２００５は、検出値にしたがって第４発光部２００３の発光色を制御する（Ｓ１５）。
【００４９】
これにより、ユーザは、把持する制御装置１０１を傾斜させるだけで、制御装置１０１の発光色と同じ色の光を発光装置１０２が発するように、発光装置１０２を制御することができる。実施の形態３の発光システムは、利便性と新たな操作性をユーザに提供することができる。なお、筐体１００１の形状はたまご型に限定されず、直方体や円筒状であってもよい。
【００５０】
実施の形態３では、発光装置１０２はスタンド型であったが、図１６に示すように、いわゆるシーリングライトであってもよい。図１６では照明装置１０３として光を透過させるシェード１０３ａのみが示されている。シェード１０３ａ内には第４発光部２００３、受信部２００４と、第２制御部２００５がある。
【００５１】
実施の形態３で支持部２００１の内部に設けた各構成要素のうち、たとえば受信部２００４、第２制御部２００５、電力供給線などは外に設けてもよい。その他、実施の形態３についても、実施の形態１同様の変形技術が可能であり、その構成は改めて詳述せずとも当業者に理解されるところである。
【符号の説明】
【００５２】
１  第１発光装置、  ２  第２発光装置、  １１  第１筐体、  １２  第１検出部、  １３  電池、  １４  第１発光部、  １５  第１制御部、  １６  第１通信部、  １７  第２発光部、  ２１  第２筐体、  ２２  第２検出部、  ２３  電池、  ２４  第３発光部、  ２５  第２制御部、  ２６  第２通信部、  ２７  第４発光部。
【図１】
0005545024.tif 000002
【図２】
0005545024.tif 000003
【図３】
0005545024.tif 000004
【図４】
0005545024.tif 000005
【図５】
0005545024.tif 000006
【図６】
0005545024.tif 000007
【図７】
0005545024.tif 000008
【図８】
0005545024.tif 000009
【図９】
0005545024.tif 000010
【図１０】
0005545024.tif 000011
【図１１】
0005545024.tif 000012
【図１２】
0005545024.tif 000013
【図１３】
0005545024.tif 000014
【図１４】
0005545024.tif 000015
【図１５】
0005545024.tif 000016
【図１６】
0005545024.tif 000017